(57)【特許請求の範囲】
【請求項１】
プレキャストコンクリート柱梁架構において、第１のプレキャストコンクリート部材に対して第２のプレキャストコンクリート部材を、一方のプレキャストコンクリート部材から突出する鉄筋を他方のプレキャストコンクリート部材に埋設された継手部材に挿入するプレキャストコンクリート部材の建て込み方法であって、
前記第１及び前記第２のプレキャストコンクリート部材を、本来の建て込み位置からずらした状態で、前記第１及び第２のプレキャストコンクリート部材の何れか一方のプレキャストコンクリート部材から突出する前記鉄筋の先端を、他方のプレキャストコンクリート部材に埋設された前記継手部材に挿入し、
前記第１及び第２のプレキャストコンクリート部材を、本来の建て込み位置に向けて移動させながら、前記鉄筋を前記継手部材に挿入していくことにより、前記第１及び第２のプレキャストコンクリート部材を本来の建て込み位置に建て込むことを特徴とするプレキャストコンクリート部材の建て込み方法。
【請求項２】
前記第１のプレキャストコンクリート部材は複数建て込まれ、前記第２のプレキャストコンクリートは隣接する前記第１のプレキャストコンクリート部材を接続するように建て込まれ、前記隣接する第１のプレキャストコンクリート部材を、本来の建て込み位置から互いに異なる量だけずらした状態から本来の建て込み位置に向けて移動させることを特徴とする請求項１に記載のプレキャストコンクリート部材の建て込み方法。
【発明の詳細な説明】
【技術分野】
【０００１】
本発明は、プレキャストコンクリート部材の建て込み方法及びプレキャストコンクリート柱梁架構に関する。
【背景技術】
【０００２】
プレキャストコンクリート部材の建て込み方法の一例として、図９（ｈ）に示すように、複数本のプレキャストコンクリート柱（ＰＣ柱１−１〜１−６）を複数箇所（６箇所）に建て込み、これらＰＣ柱１−１〜１−６間、にそれぞれプレキャストコンクリート梁（ＰＣ梁２−１〜２−７）を建て込んだプレキャストコンクリート柱梁架構（ＰＣ柱梁架構）がある（例えば、特許文献１参照。）。
【０００３】
このような構成のＰＣ柱梁架構は、例えば、図９（ａ）に示すように、図中左上のＰＣ柱１−１の上部に仕口部３−１を配置し、この仕口部３−１の図中右方に、ＰＣ梁２−１、仕口部３−２、ＰＣ梁２−２、及び仕口部３−３をそれらの順に配置し、それらの部材を図中左方に水平移動させて、各仕口部３−１〜３−３の梁主筋継手（図示せず）内に各ＰＣ梁２−１〜２−２の梁主筋を挿入することにより、各仕口部３−１〜３−３と各ＰＣ梁２−１〜２−２とを接続する。
【０００４】
また、この際に、各仕口部３−１〜３−３の貫通孔（図示せず）内に上方から中継筋（図示せず）を挿入し、この中継筋を各ＰＣ柱１−１〜１−３の柱主筋継手（図示せず）内に挿入することにより、各仕口部３−１〜３−３を各ＰＣ柱１−１〜１−３に接続する。
【０００５】
次に、図９（ｂ）に示すように、各ＰＣ柱１−１〜１−３上に設けられた３つの仕口部３−１〜３−３の図中下方にそれぞれＰＣ梁２−３〜２−５を配置し、これらのＰＣ梁２−３〜２−５を図中上方に水平移動させ、各ＰＣ梁２−３〜２−５の梁主筋を各仕口部３−１〜３−３の梁主筋継手内に挿入することにより、各仕口部３−１〜３−３に各ＰＣ梁２−３〜２−５を接続する。
【０００６】
次に、図９（ｂ）に示すように、ＰＣ梁２−３及びＰＣ梁２−４の図中下方にそれぞれ仕口部３−４、３−５を配置し、各仕口部３−４、３−５を図中上方に水平移動させ、各仕口部３−４、３−５の梁主筋継手内に各ＰＣ梁２−３、２−４の梁主筋を挿入することにより、各ＰＣ梁２−３、２−４に各仕口部３−４、３−５を接続する。
【０００７】
次に、図９（ｃ）及び図９（ｄ）に示すように、仕口部３−４と仕口部３−５との間に、両端部に梁主筋継手が埋設されたＰＣ梁２−６を上方から落とし込み、図中左側の仕口部３−４の貫通孔内に左方から定着具を備えた中継筋（図示せず）を挿入し、この中継筋をＰＣ梁２−６の梁主筋継手内に挿入することにより、ＰＣ梁２−６を仕口部３−４に接続する。
【０００８】
次に、図９（ｅ）に示すように、仕口部３−５の図中右方にＰＣ梁２−７を配置し、このＰＣ梁２−７を図中左方へ水平移動させ、このＰＣ梁２−７の梁主筋を仕口部３−５の梁主筋継手内に挿入することにより、仕口部３−５にＰＣ梁２−７を接続する。
【０００９】
そして、最後に、図９（ｆ）〜図９（ｈ）に示すように、ＰＣ梁２−５とＰＣ梁２−７との間に仕口部３−６を配置し、図中右方から仕口部３−６の貫通孔内に定着具を備えた中継筋（図示せず）を挿入し、この中継筋をＰＣ梁２−７の梁主筋継手内に挿入し、図中下方から仕口部３−６の貫通孔内に定着具を備えた中継筋（図示せず）を挿入し、この中継筋をＰＣ梁２−５の梁主筋継手内に挿入することにより、仕口部３−６とＰＣ梁２−７及びＰＣ梁２−５とを接続する。
【００１０】
このようにして、既に建て込んである複数本のＰＣ柱１−１〜１−６の隣接するＰＣ柱間１−１〜１−２、……、１−５〜１−６にそれぞれＰＣ梁２−１〜２−７を建て込むことができ、格子状のＰＣ柱梁架構１を構築することができる。
【００１１】
ところで、上記のような構成のＰＣ柱梁架構１にあっては、最後のコーナー部において、ＰＣ梁２−５及びＰＣ梁２−７と仕口部３−６とを相互に接続する際に、仕口部３−６の貫通孔内に定着具を備えた中継筋を二方向（図中左右、上下方向）から挿入し、その中継筋をＰＣ梁２−５及びＰＣ梁２−７の梁主筋継手内に挿入する作業が必要になる。
【００１２】
このため、重量物である仕口部３−６を、中継筋のＰＣ梁２−５及びＰＣ梁２−７の梁主筋継手内への挿入が完了するまで、仕口部３−６の貫通孔とＰＣ梁２−５及びＰＣ梁２−７の梁主筋継手とを合わせた状態に支持し続けなければならず、非常に手間のかかる作業となる。
【００１３】
また、仕口部３−６の貫通孔内に定着具を備えた中継筋を二方向（図中左右、上下方向）から挿入した後に、その外側にコンクリートを打設して仕口部３−６と一体化しなければならず、その作業に非常に手間がかかる。
【００１４】
さらに、仕口部３−６、ＰＣ梁２−５、又はＰＣ梁２−７梁の何れかを、施工上の問題から現場打ち工法によって製作することもあり、そのような場合には、型枠の設置、配筋、コンクリートの打設、型枠の撤去等の作業が必要になり、その作業に非常に手間がかかる。
【先行技術文献】
【特許文献】
【００１５】
【特許文献１】特開２００６−２２４９４号公報
【発明の概要】
【発明が解決しようとする課題】
【００１６】
本発明は、上記のような従来の問題に鑑みなされたものであって、建て込みに要する手間を大幅に削減することができるプレキャストコンクリート部材の建て込み方法及びプレキャストコンクリート柱梁架構を提供することを目的とする。
【課題を解決するための手段】
【００１７】
上記のような課題を解決するために、本発明は、以下のような手段を採用している。
すなわち、本発明は、プレキャストコンクリート柱梁架構において、第１のプレキャストコンクリート部材に対して第２のプレキャストコンクリート部材を、一方のプレキャストコンクリート部材から突出する鉄筋を他方のプレキャストコンクリート部材に埋設された継手部材に挿入するプレキャストコンクリート部材の建て込み方法であって、前記第１及び前記第２のプレキャストコンクリート部材を、本来の建て込み位置からずらした状態で、前記第１及び第２のプレキャストコンクリート部材の何れか一方のプレキャストコンクリート部材から突出する前記鉄筋の先端を、他方のプレキャストコンクリート部材に埋設された前記継手部材に挿入し、前記第１及び第２のプレキャストコンクリート部材を、本来の建て込み位置に向けて移動させながら、前記鉄筋を前記継手部材に挿入していくことにより、前記第１及び第２のプレキャストコンクリート部材を本来の建て込み位置に建て込むことを特徴とする。
【００１８】
本発明のプレキャストコンクリート部材の建て込み方法によれば、第１及び第２のプレキャストコンクリート部材を、本来の建て込み位置からずらした状態とし、この状態で、第１及び第２のプレキャストコンクリート部材の何れか一方のプレキャストコンクリート部材から突出する鉄筋の先端を、他方のプレキャストコンクリート部材に埋設された継手部材に挿入する。そして、第１及び第２のプレキャストコンクリート部材を、本来の建て込み位置に向けて移動させながら、鉄筋を継手部材に挿入していき、鉄筋を継手部材に完全に挿入することにより、第１及び第２のプレキャストコンクリート部材を本来の建て込み位置に建て込むことができる。
【００１９】
また、本発明において、前記第１のプレキャストコンクリート部材は複数建て込まれ、前記第２のプレキャストコンクリートは隣接する前記第１のプレキャストコンクリート部材を接続するように建て込まれ、前記隣接する第１のプレキャストコンクリート部材を、本来の建て込み位置から互いに異なる量だけずらした状態から本来の建て込み位置に向けて移動させることとしてもよい。
【００２０】
本発明のプレキャストコンクリート部材の建て込み方法によれば、複数建て込まれる第１プレキャストコンクリートのうち、隣接する前記第１のプレキャストコンクリート部材を接続するように前記第２のプレキャストコンクリートが建て込まれ、隣接する前記第１のプレキャストコンクリート部材を接続するように建て込まれ、前記隣接する第１のプレキャストコンクリート部材を、本来の建て込み位置から互いに異なる量だけずらした状態で、第１プレキャストコンクリート部材又は第２プレキャストコンクリート部材の何れか一方の部材から突出する鉄筋の先端を、何れか他方の部材に埋設された継手部材に挿入する。そして、第１及び第２のプレキャストコンクリート部材を、本来の建て込み位置に向けて移動させながら、鉄筋を継手部材に挿入していき、鉄筋を継手部材に完全に挿入することにより、第１及び第２のプレキャストコンクリート部材を本来の建て込み位置に建て込むことができる。
【００２１】
さらに、本発明において、請求項１又は２に記載のプレキャストコンクリート部材の建て込み方法であって、前記第１のプレキャストコンクリート部材は、仕口部、仕口部を含む梁、仕口部を含む柱、又は仕口部を含む柱梁であり、前記第２のプレキャストコンクリート部材は、梁、仕口部、仕口部を含む梁、仕口部を含む柱、又は仕口部を含む柱梁であることとしてもよい。
【００２２】
本発明のプレキャストコンクリート部材の建て込み方法によれば、第１のプレキャストコンクリート部材を、仕口部、仕口部を含む梁、仕口部を含む柱、又は仕口部を含む柱梁とし、第２のプレキャストコンクリート部材を、梁、仕口部、仕口部を含む梁、仕口部を含む柱、又は仕口部を含む柱梁とし、これらを任意に組み合わせたプレキャストコンクリート柱梁架構に適用することができる。
但し、柱梁架構を構成することができない組み合せ（例えば、第１プレキャストコンクリート部材が仕口部を含む柱、第２プレキャストコンクリート部材が仕口部を含む柱の組み合わせ）には適用することはできない
【００２３】
さらに、本発明のプレキャストコンクリート柱梁架構は、請求項１〜３の何れか１項に記載のプレキャストコンクリート部材の建て込み方法により構築されることを特徴とする。
【発明の効果】
【００２４】
以上、説明したように、本発明のプレキャストコンクリート部材の建て込み方法及びプレキャストコンクリート柱梁架構によれば、第１及び第２のプレキャストコンクリート部材を、本来の建て込み位置からずらした状態とし、この状態で、第１及び第２のプレキャストコンクリート部材の何れか一方のプレキャストコンクリート部材から突出する鉄筋の先端を、他方のプレキャストコンクリート部材に埋設された継手部材に挿入する。そして、第１、及び第２のプレキャストコンクリート部材を、本来の建て込み位置に向けて移動させながら、鉄筋を継手部材に挿入していき、鉄筋を継手部材に完全に挿入することにより、第１及び第２のプレキャストコンクリート部材を本来の建て込み位置に建て込むことができる。従って、現場打ち工法によって建て込む必要がないので、型枠の設置、コンクリートの打設、型枠の撤去等の工事が不要となり、プレキャストコンクリート部材の建て込みに要する手間を大幅に削減することができる。
【図面の簡単な説明】
【００２５】
【図１】本発明によるプレキャストコンクリート部材の建て込み方法の一実施の形態を示した説明図であって、第１及び第２のプレキャストコンクリート部材を本来の建て込み位置から上方にずらした状態（傾けた状態）に配置した説明図である。
【図２】第１及び第２のプレキャストコンクリート部材を本来の建て込み位置に建て込んだ状態を示した説明図である。
【図３】図１及び図２の平面図である。
【図４】図１〜図３の梁主筋と梁主筋継手との関係を示した説明図である。
【図５】梁主筋継手内への梁主筋の挿入初期の状態を示した説明図である。
【図６】本発明によるプレキャストコンクリート部材の建て込み方法の変形例を示した説明図である。
【図７】本発明のプレキャストコンクリート部材の建て込み方法が適用される第１のプレキャストコンクリート部材の具体例を示した説明図である。
【図８】本発明のプレキャストコンクリート部材の建て込み方法が適用される第２のプレキャストコンクリート部材の具体例を示した説明図である。
【図９】従来のプレキャストコンクリート部材の建て込み方法の一例を示した説明図である。
【発明を実施するための形態】
【００２６】
以下、図面を参照しながら本発明の実施の形態について説明する。図１〜図５には、本発明によるプレキャストコンクリート部材の建て込み方法の一実施の形態が示されている。本実施の形態のプレキャストコンクリート部材の建て込み方法は、図１〜図３に示すように、複数のプレキャストコンクリート柱（ＰＣ柱１−１〜１−４）間にプレキャストコンクリート梁（ＰＣ梁２−２〜２−３）を建て込むのに有効なものである。
【００２７】
本実施の形態では、例えば、ＰＣ柱として、上端から柱主筋５が突出し、下端部に鉛直方向を向く柱主筋継手６が埋設された柱本体１ａと、柱本体１ａの上端部に水平に、かつ両端が柱本体１ａから外方に突出した状態で一体に設けられるＰＣ梁２−１とからなり、ＰＣ梁２−１の両端部から梁主筋７が突出したタイプのＰＣ柱１−１と、上端から柱主筋５が突出し、下端部に鉛直方向を向く柱主筋継手６が埋設された柱本体１ａと、柱本体１ａの上端部に水平に、かつ、両端が柱本体１ａから外方に突出した状態で一体に設けられる仕口部１ｂとからなり、仕口部１ｂの両端部に水平方向を向く梁主筋継手８が埋設されたタイプのＰＣ柱１−２、１−３と、上端から柱主筋５が突出し、下端部に鉛直方向を向く柱主筋継手６が埋設された柱本体１ａと、柱本体１ａの上端部に水平に、かつ、一端部が柱本体１ａから外方に突出した状態で一体に設けられる仕口部１ｂとからなり、仕口１ｂ部の端部に水平方向を向く梁主筋継手８が埋設されたタイプのＰＣ柱１−４とを用いる。なお、ＰＣ柱１−１の柱本体１ａの下端からＰＣ梁２−１までの高さ、ＰＣ柱１−２〜１−４の柱本体１ａの下端から仕口部１ｂまでの高さは同じに設定されている。
【００２８】
また、ＰＣ梁として、両端から梁主筋７が突出したＨ１タイプのＰＣ梁２−２と、両端から梁主筋７が突出し、かつ、ＰＣ梁２−２よりも全長が短いＨ２タイプのＰＣ梁２−３とを用いる。
【００２９】
そして、図１〜図３に示すように、第１のプレキャスト部材としてのＰＣ柱１−１〜１−４を、既に建て込まれている下階のＰＣ柱（上端から柱主筋５が突出したタイプのＰＣ柱１−０１〜１−０４）の上部に落とし込み、各ＰＣ柱１−１〜１−４の下端部の柱主筋継手６内に、各ＰＣ柱１−０１〜１−０４の上端の柱梁主筋５を挿入し、各ＰＣ柱１−０１〜１−０４の上部にそれぞれ各ＰＣ柱１−１〜１−４を接続する。
【００３０】
この場合、図１に示すように、ＰＣ柱１−１は、柱主筋継手６内にＰＣ柱１−０１の柱梁主筋５が完全に挿入された状態とし、ＰＣ柱１−２、ＰＣ柱１−３、及びＰＣ柱１−４は、ＰＣ柱１−０２、ＰＣ柱１−０３、及びＰＣ柱１−０４から上方に所定の距離ａ〜ｃ浮いた状態とし、かつ、ＰＣ柱１−０２、ＰＣ柱１−０３、及びＰＣ柱１−０４の順に、柱主筋継手６内への柱主筋５の挿入量が深くなるように調整する。つまり、本来の建て込み位置よりも鉛直方向上方にＰＣ柱１−２、ＰＣ柱１−３、及びＰＣ柱１−４の仕口部１ｂが、それらの順に位置するように、それらのＰＣ柱１−２〜１−４を配置する。なお、ＰＣ柱１−２、ＰＣ柱１−３、及びＰＣ柱１−４の仕口部１ｂを多少斜め上方に配置してもよい。
【００３１】
そして、ＰＣ柱１−２とＰＣ柱１−３との間に、第２のプレキャストコンクリート部材としての両端から梁主筋７が突出したタイプのＨ１タイプのＰＣ梁２−２を配置し、ＰＣ柱１−３とＰＣ柱１−４との間に、第２のプレキャストコンクリート部材としての両端から梁主筋７が突出し、かつＰＣ梁２−２よりも全長が短いＨ２タイプのＰＣ梁２−３を配置する。
【００３２】
この場合、ＰＣ梁２−２及びＰＣ梁２−３は、本来の建て込み位置に対して鉛直方向上方にずれた状態（所定の角度傾斜した状態）となるように配置する。つまり、図５に示すように、ＰＣ柱１−２の仕口部１ｂの梁主筋継手８の軸線、及びＰＣ梁１−３の仕口部１ｂの梁主筋継手８の軸線に対して、ＰＣ梁２−２の梁主筋７の軸線が所定の角度傾き、ＰＣ柱１−３の梁主筋継手８、及びＰＣ梁１−４の梁主筋継手８の軸線に対して、ＰＣ梁２−３の梁主筋７が所定の角度傾くように、ＰＣ梁１−２とＰＣ梁１−３との間、及びＰＣ梁１−３とＰＣ梁１−４との間に、ＰＣ梁２−２及びＰＣ梁２−３を配置する。なお、ＰＣ梁２−２及びＰＣ梁２−３は、多少斜め上方にずらした状態に配置してもよい。
【００３３】
また、ＰＣ柱１−２の仕口部１ｂの左端の梁主筋継手８の入口に、ＰＣ柱１−１のＰＣ梁２−１の右端の梁主筋７の先端が僅かにかかり、ＰＣ柱１−２の仕口部１ｂの右端の梁主筋継手８の入口に、ＰＣ梁２−２の左端の梁主筋７の先端が僅かにかかり、ＰＣ梁１−３の仕口部１ｂの左端の梁主筋継手８の入口にＰＣ梁２−２の右端の梁主筋７の先端が僅かにかかり、ＰＣ梁１−３の仕口部１ｂの右端の梁主筋継手８にＰＣ梁２−３の左端の梁主筋８の先端が僅かにかかり、ＰＣ柱１−４の仕口部１ｂの左端の梁主筋継手８にＰＣ梁２−３の右端の梁主筋７の先端が僅かにかかるように、ＰＣ柱１−２、１−３、１−４の高さ、及びＰＣ梁２−２、２−３の角度を調整する。
【００３４】
そして、この状態で、ＰＣ柱１−２、ＰＣ柱１−３、及びＰＣ柱１−４を、下方に向けて（本来の建て込み位置に向けて）に徐々に落とし込むことにより、梁主筋継手８と梁主筋７との間のクリアランスａ（図４参照）を利用して、ＰＣ梁２−２の両端の梁主筋７がＰＣ柱１−２の仕口部１ｂの右端の梁主筋継手８内、及びＰＣ柱１−３の仕口部１ｂの左端の梁主筋継手８内に徐々に挿入され、ＰＣ梁２−３の両端の梁主筋７がＰＣ柱１−３の仕口部１ｂの右端の梁主筋継手８内、及びＰＣ柱１−４の仕口部１ｂの左端の梁主筋継手８内に徐々に挿入されていく。この場合、必要に応じてＰＣ梁２−３及びＰＣ梁２−４をＰＣ柱１−２〜１−４の仕口部１ｂの方向にスライドさせる。
【００３５】
そして、ＰＣ柱１−２を本来の建て込み位置のＰＣ柱１−０２の上部に落とし込み、ＰＣ柱１−３を本来の建て込み位置のＰＣ柱１−０３の上部に落とし込み、ＰＣ柱１−４を本来の建て込み位置のＰＣ柱１−０４の上部に落とし込むことにより、図２に示すように、ＰＣ柱１−２の仕口部１ｂの両端の梁主筋継手８内に、ＰＣ柱１−１のＰＣ梁２−１の右端の梁主筋７及びＰＣ梁２−２の左端の梁主筋７が完全に挿入され、ＰＣ柱１−３の仕口部１ｂの両端の梁主筋継手８内に、ＰＣ梁２−２の右端の梁主筋７、及びＰＣ梁２−３の左端の梁主筋７が完全に挿入され、ＰＣ柱１−４の仕口部１ｂの左端の梁主筋継手８内にＰＣ梁２−３の右端の梁主筋７が完全に挿入され、ＰＣ梁２−２及びＰＣ梁２−３が本来の建て込み位置に建て込まれる。
【００３６】
そして、ＰＣ梁２−２及びＰＣ梁２−３を本来の建て込み位置に建て込んだ後に、ＰＣ柱１−１のＰＣ梁２−１とＰＣ柱１−２の仕口部１ｂとの接続部、ＰＣ柱１−２の仕口部１ｂとＰＣ梁２−２との接続部、ＰＣ梁２−２とＰＣ柱１−３の仕口部１ｂとの接続部、ＰＣ柱１−３の仕口部１ｂとＰＣ梁２−３との接続部、ＰＣ梁２−３とＰＣ柱１−４の仕口部１ｂとの接続部にそれぞれグラウトを注入することにより、それらを一体化することができる。
【００３７】
なお、最後のＰＣ柱１−４にＰＣ梁２−３を接続する場合に、図示はしないが、ＰＣ柱１−４として、上端部に柱主筋継手が埋設されたタイプのものを用いるとともに、ＰＣ梁２−３として、一端に仕口部が設けられ、仕口部に鉛直方向を向く貫通孔が設けられたタイプのものを用い、このＰＣ梁２−３の仕口部をＰＣ柱１−４の上部に載置させ、ＰＣ梁２−３の仕口部の貫通孔内に上方から中継筋を挿通させ、この中継筋をＰＣ柱１−４の上端部の柱主筋継手内に挿入させことにより、ＰＣ柱１−４とＰＣ梁２−３とを接続するように構成してもよい。
【００３８】
上記のように構成した本実施の形態のプレキャストコンクリート部材の建て込み方法にあっては、隣接するＰＣ柱１−２〜１−３、１−３〜１−４間にＰＣ梁２−２、２−３を建て込む場合に、ＰＣ柱１−２〜１−４を本来の建て込み位置から鉛直方向上方に浮かした状態とするとともに、ＰＣ柱１−２〜１−３間、及びＰＣ柱１−３〜１−４間に、ＰＣ梁２−２、及びＰＣ梁２−３を本来の建て込み位置に対して鉛直方向上方に所定の角度傾けた状態で配置し、ＰＣ梁２−２、及びＰＣ梁２−３の両端の梁主筋７の先端をＰＣ柱１−１〜１−４側の梁主筋継手８の入口に僅かに挿入し、この状態で、各ＰＣ柱１−２〜１−４を本来の建て込み位置の方向に落とし込むことにより、ＰＣ梁２−２、及びＰＣ梁２−３を本来の建て込み位置に建て込むことができる。
【００３９】
従って、従来のように、重量物である仕口部を、中継筋の２つのＰＣ梁の梁主筋継手内への挿入が完了するまで、仕口部の貫通孔と２つのＰＣ梁の梁主筋継手とを合わせた状態に支持し続けるような煩雑な作業が不要となり、仕口部の接合に要する手間を大幅に削減することができる。
【００４０】
また、現場打ち工法により、ＰＣ柱１−１のＰＣ梁２−１とＰＣ柱１−２の仕口部１ｂとの間、ＰＣ柱１−２の仕口部１ｂとＰＣ柱１−３の仕口部１ｂとの間、ＰＣ柱１−３の仕口部１ｂとＰＣ柱１−４の仕口部１ｂとの間を接合する必要がないので、型枠工事、コンクリート打設工事等が不要となり、仕口部の接合に要する手間を大幅に削減することができる。
【００４１】
なお、前記の説明においては、ＰＣ柱１−２の仕口部１ｂの両端、ＰＣ柱１−３の仕口部１ｂの両端、ＰＣ柱１−３の仕口部１ｂの左端にそれぞれ梁主筋継手８を設け、ＰＣ梁２−２、２−３の両端から梁主筋７を突出させたが、ＰＣ柱１−２の仕口部１ｂの両端、ＰＣ柱１−３の仕口部１ｂの両端、ＰＣ柱１−３の仕口部１ｂの左端からそれぞれ梁主筋を突出させ、ＰＣ梁２−２、２−３の両端にそれぞれ梁主筋継手を設け、ＰＣ柱１−２、ＰＣ柱１−３の仕口部１ｂの梁主筋を、ＰＣ梁２−２、２−３の梁主筋継手内に挿入するように構成してもよい。
【００４２】
また、上記の場合、ＰＣ梁２−１、２−２、２−３のスパンを長くする程、ＰＣ梁２−２、２−３のＰＣ柱１−２〜１−３の仕口部１ｂの方向へのスライド量を小さくすることができる。
【００４３】
さらに、前記の説明においては、本発明をＰＣ梁２−１、２−２、２−３が一直線上に配置される場合に適用したが、図６に示すように、ＰＣ柱１−４に対して、ＰＣ梁２−３と異なる方向からＰＣ梁２−６を接合する場合に本発明を適用してもよい。この場合、ＰＣ梁２−３の梁主筋７をＰＣ柱１−４の仕口部１ｂの梁主筋継手８に挿入するのと同時に、ＰＣ梁２−６の梁主筋７をＰＣ柱１−４の仕口部１ｂの梁主筋継手８に挿入するようにすればよい。
【００４４】
さらに、上記の場合、ＰＣ梁１−０１〜１−０４は、プレキャストコンクリート造に限らず、現場打ち工法によって製造されたコンクリート柱であってもよい。また、１階のスラブ床の場合には、スラブ床と一体に製造されたコンクリート柱であってもよい。
【００４５】
なお、本発明のプレキャストコンクリート部材の建て込み方法は、前記各実施の形態において説明したように、第１のプレキャストコンクリート部材に対して、第２のプレキャストコンクリート部材を建て込む場合に、一方の部材又は他方の部材から鉄筋を突出させ、他方の部材又は一方の部材に継手部材を埋設し、一方の部材又は他方の部材の鉄筋を、他方の部材又は一方の部材の継手部材に挿入すればよい。
【００４６】
また、第１のプレキャストコンクリート部材に対して、第２のプレキャストコンクリート部材を建て込む場合に、第１及び第２のプレキャストコンクリート部材を鉛直方向上方にずらした状態に配置し、その位置から本来の建て込み位置に向けて移動させたが、第１及び第２のプレキャストコンクリート部材を斜め上方にずらした状態に配置し、その位置から本来の建て込み位置に向けて移動させてもよい。
【００４７】
さらに、図７及び図８に示すように、第１のプレキャストコンクリート部材を、仕口部１０、仕口部を含む梁１２、仕口部を含む柱１３、又は仕口部を含む柱梁１４とし、第２のプレキャストコンクリート部材を、仕口部２０、中間梁２１、仕口部を含む梁２２、仕口部を含む柱２３、又は仕口部を含む柱梁２４とし、それらを任意に組み合せることによって構築されるプレキャストコンクリート柱梁架構に本発明を適用してもよい。
但し、柱梁架構を構成することができない組み合せ（例えば、第１プレキャストコンクリート部材が仕口部を含む柱１３、第２プレキャストコンクリート部材が仕口部を含む柱２３等の組み合わせ）には適用することはできない
【００４８】
さらに、前記実施の形態の各ＰＣ梁の仕口部は、仕口部とＰＣ柱とが一体に形成されていてもよいし、仕口部とＰＣ梁とが一体に形成されていてもよいし、仕口部だけであってもよい。
【００４９】
さらに、前記各実施の形態においては、本発明をＰＣ梁の仕口部への建て込みに適用したが、ＰＣ柱の仕口部への建て込みに本発明を適用してもよい。
【符号の説明】
【００５０】
１  ＰＣ柱梁架構
１−０１〜１−０４  ＰＣ柱
１−１〜１−５、  ＰＣ柱
１ａ  柱本体
１ｂ  仕口部
２−０〜２−６  ＰＣ梁
５  柱主筋
６  柱主筋継手
７  梁主筋
８  梁主筋継手
１０、２０  仕口部
１２、２２  仕口部を含む梁
１３、２３  仕口部を含む柱
１４、２４  仕口部を含む柱梁
２１  中間梁
【図１】
0005640436.tif 000002
【図２】
0005640436.tif 000003
【図３】
0005640436.tif 000004
【図４】
0005640436.tif 000005
【図５】
0005640436.tif 000006
【図６】
0005640436.tif 000007
【図７】
0005640436.tif 000008
【図８】
0005640436.tif 000009
【図９】
0005640436.tif 000010